(57)【要約】【課題】有害生物が捕獲装置に捕獲されているかどうか又は管理区域へ侵入しているかどうかを簡単に確認可能な有害生物情報報知システムを提供する。【解決手段】本技術では、有害生物を捕獲する捕獲手段と、前記有害生物が捕獲されたことを検知する捕獲検知手段と、捕獲検知情報を送信する送信手段と、を備える捕獲装置と、前記捕獲検知手段からの捕獲検知情報を受信して報知する報知手段と、を少なくとも備える有害生物情報報知システムを提供する。前記捕獲装置は、有害生物が接近、通過、生息などしている状況を感知する感知手段を備える。「有害生物」とは、天井裏や屋根裏などの人目に触れ難い場所を主な生息場所とする生物であって、鼠、ゴキブリ、イタチなどを含む。【選択図】図１
2017093427.tif 000002
【特許請求の範囲】
【請求項１】
有害生物を捕獲する捕獲手段と、前記有害生物が捕獲されたことを検知する捕獲検知手段と、捕獲検知情報を送信する送信手段と、を備える捕獲装置と、
前記捕獲検知手段からの捕獲検知情報を受信して報知する報知手段と、を少なくとも備える有害生物情報報知システム。
【請求項２】
前記捕獲装置は、有害生物が接近、通過、生息などしている状況を感知する感知手段を備える請求項１に記載の有害生物情報報知システム。
【請求項３】
前記捕獲装置は、天井裏に設置されている請求項１又は２に記載の有害生物情報報知システム。
【請求項４】
前記報知手段は、発光装置である、請求項１乃至３のいずれか一項に記載の有害生物情報報知システム。
【請求項５】
前記発光装置は、天井部に下方から視認可能に設置されている、請求項４に記載の有害生物情報報知システム。
【請求項６】
前記報知手段は、前記捕獲装置からインターネットを介して送信されてきた前記捕獲検知情報を受信し、該捕獲検知情報を表示するコンピュータ端末又は携帯情報端末である、請求項１に記載の有害生物情報報知システム。
【請求項７】
前記捕獲検知情報と、該捕獲検知情報を送信してきた前記捕獲装置の装置識別情報と、該装置識別情報と対応付けされた装置設置箇所情報に基づいて、前記有害生物が捕獲された前記捕獲装置を特定する、請求項６に記載の有害生物情報報知システム。
【請求項８】
有害生物が接近、通過、生息、又は管理区域内に侵入などしている状況を感知する感知手段と、
前記感知手段からの感知情報を受信して報知する報知手段と、を少なくとも備える有害生物情報報知システム。
【請求項９】
前記感知手段は、前記有害生物によって光が遮られる遮光式センサ、前記有害生物の体温を感知する熱センサ、又は前記有害生物の動きによる振動などを感知する振動センサ、のいずれかである請求項８に記載の有害生物情報報知システム。
【発明の詳細な説明】
【技術分野】
【０００１】
本開示は、有害生物情報通知装置及び有害生物情報管理システムに関する。より詳しくは、特に人目に触れ難い場所、例えば、天井裏や屋根裏等に生息する有害生物の捕獲検知情報又は管理区域への侵入情報を報知する有害生物情報報知システムに関する。
【背景技術】
【０００２】
例えば鼠のような有害生物の捕獲作業では、捕獲装置の設置箇所まで観察しに行き、有害生物が捕獲されているかどうか確認する作業が一般的に行われている。近年では、商業地域に鼠などの有害生物が発生し、ビルの屋根裏や天井裏に生息することが増えており、屋根裏や天井裏等の人目に触れ難い場所に捕獲装置を設置することが行われている。
【０００３】
屋根裏や天井裏等、捕獲装置を直接視認し難い箇所に捕獲装置が設置される場合、捕獲装置に頻繁に近づいて、有害生物が捕獲されているかどうかを確認することは困難である。特に、捕獲装置が多数配置されているような場合、尚更、確認作業は困難であり手間が掛かる。より具体的には、数十個あるいは数百個の捕獲装置を一つ一つ観察し、有害生物が捕獲されている捕獲装置については、捕獲装置から有害生物を取り除いて捕獲前の元の状態に設置し直すことが行われている。
【０００４】
従来の捕獲技術では、例えば、鼠の捕獲方法として、鼠の存在する空間内に揮散成分を拡散させ又は発煙装置により煙を発煙させ、鼠の行動を撹乱させることにより、鼠の警戒心を欠落させて鼠を捕獲する方法がある（例えば特許文献１参照）。
【先行技術文献】
【特許文献】
【０００５】
【特許文献１】特開２００９−２３９２１号公報
【発明の概要】
【発明が解決しようとする課題】
【０００６】
しかしながら、上述した鼠の捕獲方法では、捕獲装置が多数配置されているような場合、捕獲装置に鼠が捕獲されているかどうかを一つ一つ確認しなければならないので、非常に手間が掛かる。
【０００７】
また、管理区域内の配電盤や変圧装置などの電気設備に鼠等の有害生物が侵入し、電極や配線部に触接触する等によって電極や配線部がショートしてしまい、電気設備等が作動しなくなるおそれがある。
【０００８】
そこで、本開示はかかる問題点を解決するもので、その目的は、有害生物が捕獲装置に捕獲されているかどうか又は管理区域へ侵入しているかどうかを簡単に確認可能な有害生物情報報知システムを提供することである。
【課題を解決するための手段】
【０００９】
本願発明者は、前記の目的を解決するために鋭意研究を行った結果、本発明を完成させるに至った。
即ち、本開示では、有害生物を捕獲する捕獲手段と、前記有害生物が捕獲されたことを検知する捕獲検知手段と、捕獲検知情報を送信する送信手段と、を備える捕獲装置と、前記捕獲検知手段からの捕獲検知情報を受信して報知する報知手段と、を少なくとも備える有害生物情報報知システムを提供する。
【００１０】
また、本開示では、有害生物が接近、通過、生息、又は管理区域内に侵入などしている状況を感知する感知手段と、前記感知手段からの感知情報を受信して報知する報知手段と、を少なくとも備える有害生物情報報知システムを提供する。
【００１１】
「有害生物」とは、天井裏や屋根裏などの人目に触れ難い場所を主な生息場所とする生物であって、鼠、ゴキブリ、イタチなどの昆虫や小型動物の他にも、ハクビシン、アライグマなどの動物などを含む。ハクビシン、アライグマなどは体格がタヌキ程度であり小型動物ではないが、近年住宅地域等にも増加し、駆除業者が若干大きめの捕獲装置（小型動物と同様の形式でサイズだけ大きい物）を設置して捕獲の対象とすることができる。
【発明の効果】
【００１２】
本開示によれば、報知手段は、有害生物が捕獲されたことを検知する捕獲検知手段からの捕獲検知情報、又は有害生物が管理区域内に侵入したことを感知する感知手段からの感知情報、を受信して報知する。そのため、捕獲業者などは、わざわざ、捕獲装置の設置箇所又は有害生物の侵入箇所まで行って捕獲装置等を確認する必要がない。なお、ここに記載された効果は、必ずしも限定されるものではなく、本開示中に記載されたいずれかの効果であってもよい。
【図面の簡単な説明】
【００１３】
【図１】本開示の第１実施形態に係る有害生物情報報知システム１を模式的に示す模式概念図である。
【図２】本開示の第２実施形態に係る有害生物情報報知システム１０を模式的に示す模式概念図である。
【図３】本開示の第３実施形態に係る有害生物情報報知システム５０を模式的に示す模式概念図である。
【図４】表示手段３０−１〜３０−３の表示状態を示した説明図である。
【図５】本開示の第４実施形態に係る有害生物情報報知システム１００を模式的に示す模式概念図である。
【図６】報知手段３に表示される画面の一例を示した説明図である。
【図７】本開示の第５実施形態に係る有害生物情報報知システム１１０を模式的に示す模式概念図である。
【発明を実施するための形態】
【００１４】
以下、本開示を実施するための好適な形態について、図面を参照しながら説明する。以下に説明する実施形態は、本開示の代表的な実施形態の一例を示したものであり、これにより本開示の範囲が狭く解釈されることはない。また、本発明は、下記の各実施形態の全てまたは一部を互いに組み合わせることもできる。なお、説明は以下の順序で行う。
１．第１実施形態（有害生物情報報知システム１）
２．第２実施形態（有害生物情報報知システム１０）
３．第３実施形態（有害生物情報報知システム５０）
４．第４実施形態（有害生物情報報知システム１００）
５．第５実施形態（有害生物情報報知システム１１０）
【００１５】
＜１．第１実施形態（有害生物情報報知システム１）＞
図１は、本開示の第１実施形態に係る有害生物情報報知システム１を模式的に示す模式概念図である。有害生物情報報知システム１は、例えば、テナントのスタッフなどが日常的に見ることのない天井裏において鼠、ゴキブリ、イタチなどの有害生物が捕獲されたことを室内のスタッフに知らせるものであって、大別して、捕獲装置２と、報知手段３とを備える。以下、詳細に説明する。
【００１６】
［捕獲装置２］
捕獲装置２は、捕獲手段２０と、捕獲検知手段２１と、送信手段２２と、を備える。捕獲装置２は、天井部６に設けた扉付き点検口５などを介して店舗や事務所の天井裏（天井部６、壁材７、及び上階の床材８によって仕切られた空間）に設置される。捕獲装置２の電源は、乾電池を用いるが、ダウンライトなどの照明器具（図示せず）等から電源を確保することも可能である。
【００１７】
（捕獲手段２０）
捕獲手段２０は、有害生物を捕獲する。捕獲手段２０は、鼠などの有害生物が捕獲手段２０に侵入した際に入口のシャッター（図示せず）が落下して自動的に閉まる構造になっている。
【００１８】
（捕獲検知手段２１）
捕獲検知手段２１は、前記有害生物が捕獲されたことを検知する。捕獲検知手段２１は、当該捕獲装置２の内側に備えた餌箱内の餌の減少量に基づき、前記有害生物が捕獲されたことを検知する。なお、当該餌には殺鼠剤を混入することも可能である。
【００１９】
なお、上記第１実施形態では、捕獲検知手段２１は、捕獲装置２の内側に備えた餌箱内の餌の減少量に基づき、有害生物が捕獲されたことを検知する例について述べた。検知の方法はこれに限定されない。例えば、捕獲装置２の内部に、鼠の重量に応じて作動する機構を設け、捕獲検知手段２１が、重量による信号を検知してもよい。重量による検知は、例えば、h t t p : / / w w w . o j i d e n . c o . j p / t a p e i n f o r m a t i o n . h t m l に開示されているような、電気的な短絡を検出するマットセンサ技術を採用することができる。
【００２０】
さらに別の検知方法では、捕獲検知手段２１は、捕獲装置２入口のシャッターが閉まった際の信号を検知することによって、捕獲装置２に有害生物が捕獲されたことを検知してもよい。
【００２１】
さらに別の検知方法では、捕獲検知手段２１として、鼠などの有害生物に赤外線を照射しその放射熱を検出する方式のセンサを用いることができる。この方式のセンサは、鼠などが赤外線に当たると、鼠などの熱を発している物体から出る反射光を認識し検知信号を出力する。
【００２２】
さらに別の検知方法では、捕獲検知手段２１として、鼠などの有害生物の進入路を挟んで対向配置された赤外線発光ダイオードと赤外線センサを用いる方式のセンサがある。この方式のセンサでは、捕獲装置２の中に鼠などを誘引する餌を設けておき、鼠などが餌に接近すると、赤外線センサ側の赤外線が遮断され鼠などが侵入したことが検知される。
【００２３】
（送信手段２２）
送信手段２２は、捕獲検知手段２１からの捕獲検知情報を報知手段３に送信する。当該送信手段２２は配線などを介して捕獲検知手段２１からの捕獲検知情報を受け取り、受け取った捕獲検知情報を電気信号で報知手段３に送信する。
【００２４】
［報知手段３］
報知手段３は、捕獲検知手段２１からの捕獲検知情報を受信して報知する。報知手段３は、ＬＥＤ（Light Emitting Diode）球等の発光装置であり、ＬＥＤ球の発光又は点滅によって前記捕獲検知情報を報知可能である。ＬＥＤ球は、天井部６に下方から視認可能に設置されている。ＬＥＤ球は、天井部６に設けられた開口部６ａを介して天井部６の裏面６ｂから表面６ｓに露出する部分を有する。図１では、天井部６にＬＥＤ球が通過可能な開口部６ａを開け、室内に露出する方法で開口部６ａにＬＥＤ球が設置される。
【００２５】
以上、上記第１実施形態では、ＬＥＤ球の発光又は点滅によって、捕獲検知手段２１からの検知情報が報知されるので、テナントのスタッフなどは鼠などが捕獲手段２０に捕獲されたことを簡単に確認可能である。
【００２６】
また、テナントのスタッフなどから連絡を受けた駆除業者は、捕獲手段２０に捕獲されている鼠などを捕獲手段２０から迅速に回収することが可能になる。
【００２７】
従来、捕獲装置の設置後は定期的な点検が行われ、鼠が捕獲されていたら捕獲装置から回収するという仕組みしかとることができなかったが、鼠は捕獲され死に至った場合、温度や湿度などの環境にもよるが、３日間前後で死骸臭が発生し始める。また、そのまま放置すれば、ウジが湧き、ダニは体温の低下と共に離れて活動域を広げてしまう。特に夏などは死体が腐敗しやすく不衛生になりがちであった。
【００２８】
しかしながら、本開示の第１実施形態に係る有害生物情報報知システム１の導入により、テナントのスタッフなどはＬＥＤ球の発光又は点滅によって早期に鼠などが捕獲されたことを発見できる。そのため、駆除業者は、鼠の死体が強烈な悪臭を発生する前に、捕獲されている鼠などを回収し駆除できる。したがって、テナント等の利用者への悪臭被害が事実上発生しなくなり、テナント等の利用者に対してサービスを向上できる。
【００２９】
＜２．第２実施形態（有害生物情報報知システム１０）＞
図２は、本開示の第２実施形態に係る有害生物情報報知システム１０を模式的に示す模式概念図である。
【００３０】
第２実施形態に係る有害生物情報報知システム１０は、大別して、捕獲装置２と、報知手段３とを備える。なお、図２においては、前述した第１の実施形態の有害生物情報報知システム１の構成要素と同じものには、同じ符号を付し、その詳細な説明は省略する。
【００３１】
［捕獲装置２］
捕獲装置２は、天井裏に設置され、捕獲手段２０と、捕獲検知手段２１と、送信手段２２と、感知手段２３と、を備える。
【００３２】
（感知手段２３）
感知手段２３は、有害生物が接近、通過、生息などしている状況を感知する。例えば、感知手段２３は、有害生物が施工管理区域内に侵入したことを感知可能である。
【００３３】
感知手段２３としては、有害生物によって光が遮られる遮光式センサ、有害生物の体温を感知する熱センサや、有害生物の動きによる振動などを感知する振動センサ（出入口や廊下などの狭窄部の床面に設置など）など、周知のセンサの中から適当なものを選んで用いることができる。要は、誤作動し難くて動物の侵入を感度良く検知できるセンサであればよい。また、このセンサは、少なくとも１組あればよいが、複数組設けても差し支えない。
【００３４】
［報知手段３］
報知手段３は、捕獲検知手段２１からの捕獲検知情報と、感知手段２３からの感知情報を受信して報知する。
【００３５】
以上、上記第２実施形態では、報知手段３は、有害生物が施工管理区域内に侵入したことを感知する感知手段２３からの感知情報と、有害生物が捕獲されたことを検知する捕獲検知手段２１からの捕獲検知情報と、を受信して報知する。
【００３６】
上述したように、報知手段３は、有害生物が生息し、または通過し、または捕獲されたことを感知する感知手段２３からの感知情報を受信して報知する。そのため、捕獲業者などは、わざわざ、捕獲装置２の設置箇所まで行って捕獲装置２を確認する必要がない。
【００３７】
＜３．第３実施形態（有害生物情報報知システム５０）＞
図３は、本開示の第３実施形態に係る有害生物情報報知システム５０を模式的に示す模式概念図である。第３実施形態に係る捕獲装置の設置空間は、第１実施形態に係る捕獲手段２０の設置空間よりも広範囲に及び、所定数Ｎ台（本実施形態では、簡単のため「３台」であると仮定する。）の捕獲手段２０−１〜２０−３が設置されている。また、３台の捕獲検知手段２１−１〜２１−３が、それぞれ、捕獲手段２０−１〜２０−３に対応して個別に設けられている。
【００３８】
第３実施形態に係る有害生物情報報知システム５０は、大別して、捕獲装置２と、報知手段３とを備える。なお、図３においては、前述した第１の実施形態の有害生物情報報知システム１の構成要素と同じものには、同じ符号を付し、その詳細な説明は省略する。
【００３９】
［捕獲装置２］
捕獲装置２は、天井裏に設置され、捕獲手段２０−１〜２０−３と、捕獲検知手段２１−１〜２１−３と、送信手段２２と、を備える。
【００４０】
（送信手段２２）
送信手段２２は、捕獲検知手段２１−１〜２１−３からの捕獲検知情報を報知手段３に送信する。送信手段２２は、アンテナ（図示せず）や、有線接続用のコネクタ（図示せず）を備えた無線通信機器を用いて構成可能である。
【００４１】
なお、天井部６が分厚いコンクリートで構成され、上記アンテナからの電波が届き難い場合には、無線通信を行わずに電力線通信機器のような通信手段を単独若しくは無線通信機器と併用することも可能である。
【００４２】
無線通信の方式は、管理対象が住居であれば住居内で無線通信ができれば良いので、コストを重視して微弱電波を用いることが好適である。総務省における微弱無線局の規定では、無線設備から３メートルの距離での電界強度が、所定のレベルより低いものであれば、無線局の免許を受ける必要はなく、また、無線設備から５００メートルの距離での電界強度が、２００μV/m以下のもので、周波数などが総務省告示で定められているものは、無線局の免許を受ける必要はないので手軽に用いることができる。
【００４３】
［報知手段３］
報知手段３は、捕獲検知手段２１−１〜２１−３からの検知情報を受信して報知する。
【００４４】
報知手段３は、アンテナ（図示せず）や無線Ｉ／Ｆ（Interface）回路（図示せず）などの無線通信機器や、液晶表示器（ＬＣＤ；Liquid Crystal Display）などの表示手段３０−１〜３０−３を有している。
【００４５】
表示手段３０−１〜３０−３は、それぞれ、捕獲手段２０−１〜２０−３に対応して個別に設けられている。表示手段３０−１〜３０−３は、前記無線通信機器を用いて受信された捕獲検知情報を表示する。
【００４６】
図４は、表示手段３０−１〜３０−３の表示状態を示した説明図である。図４に示すように、表示手段３０−３が点滅又は点灯した場合、当該点滅又は点灯を確認したスタッフは、「捕獲手段２０−３で鼠が捕獲されたので回収を頼む」などの依頼を駆除業者に連絡することが可能になる。この連絡を受けた駆除業者は、捕獲手段２０−３のみをピンポイントで点検すれば良いので、捕獲された鼠を迅速に回収することが可能になる。
【００４７】
以上、第３実施形態に係る有害生物情報報知システム５０では、天井裏に各捕獲手段２０−１〜２０−３を設置し、当該送信手段２２に各捕獲手段２０−１〜２０−３からの情報を配線などで集め、その集まった情報を送信手段２２から微弱電渡を通じて室内の報知手段３に送信し、報知手段３の表示手段３０−１〜３０−３は送信手段２２から送信されてくる捕獲検知情報を表示する。
【００４８】
また、上記第３実施形態では、送信手段２２と報知手段３との間の通信が無線方式で実現されるので、有線方式で実現する場合と比べて、捕獲手段２０−１〜２０−３の数に応じた電線を這いまわす手間を省略できる。
【００４９】
また、上記第３実施形態では、表示手段３０−１〜３０−３は、それぞれ、捕獲手段２０−１〜２０−３に対応して個別に設けられるので、各表示手段３０−１〜３０−３のうち、点滅又は点灯中の表示手段に対応するする捕獲手段２０のみを点検すれば良い。そのため、鼠が入った捕獲手段２０をピンポイントで回収でき、回収作業の迅速化を図ることができる。
【００５０】
＜４．第４実施形態（有害生物情報報知システム１００）＞
図５は、本開示の第４実施形態に係る有害生物情報報知システム１００を模式的に示す模式概念図である。第４実施形態に係る有害生物情報報知システム１００は、大別して、捕獲装置２と、報知手段３とを備える。なお、図５においては、前述した第１の実施形態の有害生物情報報知システム１の構成要素と同じものには、同じ符号を付し、その詳細な説明は省略することがある。
【００５１】
［捕獲装置２］
捕獲装置２は、天井裏に設置され、捕獲手段２０と、捕獲検知手段２１と、送信手段２２と、を備える。
【００５２】
［報知手段３］
報知手段３は、前記捕獲装置２からインターネットを介して送信されてきた捕獲検知情報を受信し、該捕獲検知情報を表示するコンピュータ端末又は携帯情報端末である。携帯情報端末には、スマートフォンを含む携帯電話、ＰＨＳ（Personal Handy-phone System）、ＰＤＡ（Personal Digital Assistant）、タブレット型コンピュータなどが含まれる。
【００５３】
報知手段３は、前記捕獲検知情報と、該捕獲検知情報を送信してきた前記捕獲装置２の装置識別情報と、該装置識別情報と対応付けされた装置設置箇所情報に基づいて、前記有害生物が捕獲された前記捕獲装置２を特定する。装置設置箇所情報には、前記捕獲装置２が設置されている建屋及びフロアが含まれる。装置設置箇所情報には、例えば、捕獲装置２のタイプ、設置日、餌の種類、餌の喫食状況、捕獲時刻、及び捕獲結果などの情報が含まれてもよい。
【００５４】
また例えば、装置設置箇所情報には、現場ごとに用意する脚立やハシゴの寸法、養生シートの有無、その他必要な持参するべき道具類などのリストが含まれていてもよい。持参すべき道具類としては、当該物件のカギ類や、警備員室や防災センターという立入のための手続きをする部署への案内図等がある。
【００５５】
また例えば、複数の現場及び捕獲場所を限られた作業員が無駄なく行動するため、装置設置箇所情報に、店舗の閉店時間が含まれていてもよい。
【００５６】
図６は、報知手段３に表示される画面の一例を示した説明図である。この画面は、６つの管理項目から構成される。項目「センサＩＤ」には、捕獲装置２の装置識別情報（ＩＤ）が表示される。項目「建屋名」には、捕獲装置２が設置されている管理対象建屋の名称が表示される。項目「フロア」には、捕獲装置２が設置されているフロアが表示される。項目「設置箇所」には、捕獲装置２の設置箇所が表示される。
【００５７】
項目「状態」には、捕獲装置２における捕獲の結果が表示される。図中の「正常」は、鼠などが捕獲されていない状態を示し、「捕獲中」は、鼠などが捕獲されている状態を示す。項目「捕獲時刻」には、鼠などが捕獲された時刻が表示される。
【００５８】
駆除業者は、画面を通じて、特定の管理対象建屋の管理状態を閲覧することができ、管理状態一覧のうち、鼠などの有害生物が捕獲された捕獲装置２が設置されている管理対象建屋、フロア、設置箇所をピンポイントで把握できる。
【００５９】
以上、第４実施形態に係る有害生物情報報知システム１００では、送信手段２２により捕獲検知情報が送信されたときには、鼠を捕獲中の管理対象建屋、フロア、設置箇所が報知手段３の画面上に明示されることにより、駆除業者は画面を通じて、鼠が捕獲された捕獲装置２をすぐに特定することが可能になる。
【００６０】
また、上記第４実施形態では、インターネットを介してＰＣなどの端末や、携帯情報端末等のモバイル端末に有害生物の捕獲検知情報（捕獲装置が設置されている建屋及びフロアなどの情報を含む。）が集約・管理される。
【００６１】
なお、上記第１実施形態では、捕獲装置２を、天井裏に設置する例について述べたが、本発明はこれに限定されない。捕獲装置２を屋根裏、床下、壁内などの人目に触れ難い場所に設置しても良い。
【００６２】
なお、上記第１実施形態では、報知手段３は、ＬＥＤ球の発光又は点滅によって捕獲検知情報を報知する例について述べたが、本発明はこれに限定されない。報知手段３は、スピーカなどの音声出力装置を有し、当該装置からの音声によって捕獲検知情報を報知してもよい。例えば、報知手段３は、『ピピピ・・・』という連続音や、『ピーッピーッピーッ』というビープ音や、『ピッピッピッ』というステップ音が発生することによって捕獲検知情報を報知してもよい。
【００６３】
なお、上記第１実施形態では、捕獲手段２０は、鼠などの有害生物が捕獲手段２０に侵入した際に入口のシャッター（図示せず）が落下して自動的に閉まる構造を有する例について述べた。ゴキブリを捕獲する場合には、その捕獲手段として、ゴキブリ捕獲容器の４方向に侵入路を設け、各侵入路に赤外線発光ダイオードと赤外線センサとを設けたものを使用できる。ゴキブリ捕獲容器の中にゴキブリを誘引するための餌を入れておき、ゴキブリが容器内に侵入すると、赤外線センサ側の赤外線は遮断されゴキブリが侵入したことを検出できる。また、餌の付近に粘着材を塗布しておくことにより、ゴキブリの捕獲が可能になる。ゴキブリの捕獲検知情報は報知手段３に伝達される。
【００６４】
なお、上記第３実施形態では、３台の捕獲検知手段２１−１〜２１−３が、それぞれ、捕獲手段２０−１〜２０−３に対応して個別に設けられる例について述べたが、本発明はこれに限定されない。捕獲手段２０−１〜２０−３に共通する１台の捕獲検知手段２１が、捕獲手段２０−１〜２０−３に対して設けられても良い。
【００６５】
なお、上記第３実施形態では、報知手段３が、捕獲検知情報を表示する表示手段３０−１〜３０−３を有する例について述べたが、本発明はこれに限定されない。例えば、バイブレーション機能を備えた携帯情報端末で報知手段３を構成し、報知手段３の振動によって捕獲検知情報を報知してもよい。
【００６６】
＜５．第５実施形態（有害生物情報報知システム１１０）＞
図７は、本開示の第５実施形態に係る有害生物情報報知システム１１０を模式的に示す模式概念図である。有害生物情報報知システム１１０は、第２の実施形態の有害生物情報報知システム１０と同様の構成であり、大別して、捕獲装置２と、報知手段３とを備える。なお、図７においては、前述した第２の実施形態の有害生物情報報知システム１０の構成要素と同じものには、同じ符号を付し、その詳細な説明は省略する。
【００６７】
有害生物情報報知システム１１０は、例えば、施工管理区域内の建物７０の入口７１から鼠等の有害生物が侵入してきたことを報知するシステムである。入口７１の左右両側縁部の下方には、一例として、有害生物の体温を感知する熱センサ７２が設置されている。また、建物７０内部の床には、一例として、入口７１付近に有害生物の動きによる振動などを感知する振動センサ７３が設置されている。熱センサ７２及び振動センサ７３は、捕獲装置２の感知手段２３に有線方式又は無線方式で接続されている。
【００６８】
［捕獲装置２］
本実施形態の捕獲装置２は、捕獲手段２０と、捕獲検知手段２１と、送信手段２２と、感知手段２３と、を備え、天井裏に設置されてもよい。また、本実施形態の捕獲装置２は、有害生物の侵入を感知する目的のみに使用してもよく、この場合は、入口７１から離れた建物７０内の管理室や建物７０以外の場所に設置することができる。
【００６９】
（感知手段２３）
感知手段２３は、有害生物が接近、通過、生息などしている状況を感知する。例えば、感知手段２３は、有害生物が施工管理区域内に侵入したことを感知可能である。
【００７０】
具体的には、熱センサ７２を用いる場合は、例えば図７のように入口７１の両側に設置した熱センサ７２の一方から発光した赤外線７４及び７５を他方で受光し、その赤外線７４及び７５の下方に粘着シート（図示せず）を一定間隔で設置しておく。これにより、１台の熱センサ７２で、複数個所の粘着シートを同時に監視し、感知手段２３に通報することができる。粘着シートの上を鼠が通過しようとして捕獲されると、鼠は粘着シートから脱出しようとしてもがき、鼠の体温が上昇することにより、その熱を熱センサ７２で感知することができる。
【００７１】
また、振動センサ７３を用いる場合は、例えばトタン板のようなものの上に複数枚の粘着シート（図示せず）を設置し、振動センサ７３を磁石でセットすれば、いずれかの粘着シートに振動が発生したことを振動センサ７３で感知して、感知手段２３に通報することができる。
【００７２】
なお、感知手段２３としては、有害生物によって光が遮られる遮光式センサ、有害生物の体温を感知する熱センサや、有害生物の動きによる振動などを感知する振動センサ（出入口や廊下などの狭窄部の床面に設置など）など、周知のセンサの中から適当なものを選んで用いることができる。要は、誤作動し難くて動物の侵入を感度良く検知できるセンサであればよい。また、このセンサは、少なくとも１組あればよいが、複数組設けても差し支えない。
【００７３】
［報知手段３］
報知手段３は、有害生物を捕獲する場合、捕獲検知手段２１からの捕獲検知情報と、感知手段２３からの感知情報を受信して報知する。また、報知手段３は、有害生物の侵入のみを感知する場合、感知手段２３からの感知情報を受信して報知する。
【００７４】
以上、本実施形態では、報知手段３は、有害生物が施工管理区域内に侵入したことを感知する感知手段２３からの感知情報と、有害生物が捕獲されたことを検知する捕獲検知手段２１からの捕獲検知情報と、を受信して報知する。
【００７５】
上述したように、報知手段３は、有害生物が生息し、侵入し、または通過し、または捕獲されたことを感知する感知手段２３からの感知情報を受信して報知する。そのため、捕獲業者や管理区域の管理者などは、有害生物の侵入経路を知ることができ、さらに、捕獲装置２の設置箇所まで行って捕獲装置２を確認する必要がない。
【００７６】
また、一般の住宅において、屋根や物干し台の下がトタン板で作られている場合、ハクビシンやアライグマなどの小動物からネズミなどの有害生物が、屋根の上を深夜に徘徊すると、家人は天井裏にネズミ等が生息していると思い込むことが考えられる。このような場合、トタン屋根の上と天井裏の両方に感知手段２３又は感知手段２３を備える捕獲装置２を設置してもよい。これにより、住宅内の天井裏にネズミ等が侵入していないことを検知することができる。
【符号の説明】
【００７７】
１、１０、５０、１００、１１０  有害生物情報報知システム
２  捕獲装置
３  報知手段
５  点検口
６  天井部
６ａ  開口部
６ｓ  表面
６ｂ  裏面
７  壁材
８  床材
２０、２０−１〜２０−３  捕獲手段
２１、２１−１〜２１−３  捕獲検知手段
２２  送信手段
２３  感知手段
３０、３０−１〜３０−３  表示手段
７０  建物
７１  入口
７２  熱センサ
７３  振動センサ
７４、７５  赤外線
【図１】
2017093427.tif 000003
【図２】
2017093427.tif 000004
【図３】
2017093427.tif 000005
【図４】
2017093427.tif 000006
【図５】
2017093427.tif 000007
【図６】
2017093427.tif 000008
【図７】
2017093427.tif 000009